(57)【要約】【課題】免震性の高い防煙垂れ壁の設置を容易にする。【解決手段】防煙垂れ壁１は、天井に取り付けられる第１パーツ１０と、一対の搖動壁部２２，２３が下方に突出した状態で第１パーツ１０に係合する通常第２パーツ２０と、ガラス部材６０の上縁に取り付けられる通常第３パーツ４０とを備える。そして、通常第３パーツ４０は、通常第２パーツ２０の一端から搖動空間２６（搖動壁部２２，２３に挟まれた空間）に挿通させることで、搖動壁部２２，２３に挟まれた状態で通常第２パーツ２０に取り付けられる。この時、搖動壁部２２，２３は、通常第３パーツ４０を、搖動壁部２２，２３の対面方向に搖動可能な状態で支持する。【選択図】図２
2016221088.tif 000002
【特許請求の範囲】
【請求項１】
天井に取り付けられる細長い部材である第１パーツと、
短手方向に対面する少なくとも一対の第１搖動壁部が長手方向に沿って形成されている細長い部材であって、前記第１搖動壁部が下方に突出した状態で前記第１パーツに係合することで、前記第１パーツに取り付けられる通常第２パーツと、
長手方向に当該部位を横断する溝状の取付部が形成されている細長い部材であって、前記取付部が下側に位置する状態で前記通常第２パーツに取り付けられる通常第３パーツと、
透明な板状の部材であって、上縁に沿った部分が前記取付部に覆われた状態で、前記通常第３パーツに取り付けられる板状部材と、を備え、
一対の前記第１搖動壁部に挟まれた空間を、第１搖動空間とし、
前記通常第３パーツは、前記通常第２パーツの一端から前記第１搖動空間に挿通させることで、一対の前記第１搖動壁部に挟まれた状態で前記通常第２パーツに取り付けられ、
前記第１搖動壁部は、前記第１搖動空間に配された前記通常第３パーツを、前記第１搖動壁部の対面方向に搖動可能な状態で下方から支持するよう構成されていること、
を特徴とする防煙垂れ壁。
【請求項２】
請求項１に記載の防煙垂れ壁において、
対面する少なくとも一対の第２搖動壁部が形成されており、前記通常第２パーツに隣接し、且つ、前記第２搖動壁部が下方に突出した状態で前記第１パーツに係合することで前記第１パーツに取り付けられる中間第２パーツと、
前記中間第２パーツに取り付けられる中間第３パーツと、
上端が前記中間第３パーツに取り付けられる細長い部材であって、側方の縁部には、前記中間第２パーツに隣接する前記通常第２パーツに支持されている前記通常第３パーツに取り付けられた前記板状部材の側方の縁部を収容する溝状の部位が形成されている収容部材と、をさらに備え、
一対の前記第２搖動壁部に挟まれた空間を、第２搖動空間とし、
前記中間第３パーツは、前記第２搖動壁部の側方の端部側から前記第２搖動空間に挿通させることで、一対の前記第２搖動壁部に挟まれた状態で前記中間第２パーツに取り付けられ、
前記第２搖動壁部は、前記第２搖動空間に配された前記中間第３パーツを、前記第２搖動壁部の対面方向に搖動可能な状態で下方から支持するよう構成されていること、
を特徴とする防煙垂れ壁。
【請求項３】
請求項１又は請求項２に記載の防煙垂れ壁において、
前記通常第３パーツに形成された前記取付部の底部には、２枚分の前記板状部材の厚さの幅を有する第１溝部が形成されていると共に、前記第１溝部の底部には、１枚分の前記板状部材の厚さの幅を有する第２溝部が形成されていること、
を特徴とする防煙垂れ壁。
【発明の詳細な説明】
【技術分野】
【０００１】
本発明は、防煙垂れ壁に関する。
【背景技術】
【０００２】
ガラスプレートを天井から搖動可能に吊り下げるよう構成された防煙垂れ壁であるプレート吊り下げシステムが知られている（例えば、特許文献１）。このようなプレート吊り下げシステムによれば、地震等による横揺れが生じた際には各プレートが揺れ、プレートの破損や落下を防止できるため、免震性が高くなっている。
【先行技術文献】
【特許文献】
【０００３】
【特許文献１】特許第４５９６９６７号公報
【発明の概要】
【発明が解決しようとする課題】
【０００４】
しかしながら、特許文献１のプレート吊り下げシステムは、天井側に配される溝状の上側フレームの一端からプレートの枠部材に取り付けられた係止フック等をスライドさせることで組み立てられる。このため、プレート吊り下げシステムを組み立てた状態で、上側フレームを天井に取り付ける必要があり、取り付け作業に手間がかかっていた。
【０００５】
本発明は、免震性の高い防煙垂れ壁の設置を容易にすることを目的とする。
【課題を解決するための手段】
【０００６】
上記課題に鑑みてなされた請求項１に記載の発明は、天井に取り付けられる細長い部材である第１パーツと、短手方向に対面する少なくとも一対の第１搖動壁部が長手方向に沿って形成されている細長い部材であって、第１搖動壁部が下方に突出した状態で第１パーツに係合することで、第１パーツに取り付けられる通常第２パーツと、長手方向に当該部位を横断する溝状の取付部が形成されている細長い部材であって、取付部が下側に位置する状態で通常第２パーツに取り付けられる通常第３パーツと、透明な板状の部材であって、上縁に沿った部分が取付部に覆われた状態で、通常第３パーツに取り付けられる板状部材と、を備え、一対の第１搖動壁部に挟まれた空間を、第１搖動空間とし、通常第３パーツは、通常第２パーツの一端から第１搖動空間に挿通させることで、一対の第１搖動壁部に挟まれた状態で前記通常第２パーツに取り付けられ、第１搖動壁部は、第１搖動空間に配された通常第３パーツを、第１搖動壁部の対面方向に搖動可能な状態で下方から支持するよう構成されていること、を特徴とする防煙垂れ壁に関するものである。
【０００７】
このような構成によれば、通常第３パーツを第１搖動空間に挿通させることで、搖動可能な状態で通常第３パーツが通常第２パーツに取り付けられるため、これらを容易に組み立てることができる。また、天井に取り付けられた第１パーツに対し、通常第２パーツを下方から容易に取り付けることができる。
【０００８】
これにより、第１パーツと、通常第２パーツと、工場等で板状部材が取り付けられた通常第３パーツを、組み立て前の状態で運搬し、作業現場でこれらを組み立てながら防煙垂れ壁を設置することができる。このため、運搬が容易になり、運搬作業の負荷を抑えることができる。
【０００９】
また、第１パーツを単独で天井に取り付けることができ、防煙垂れ壁全体を天井に取り付ける場合に比べ、取り付け作業が容易になる。
さらに、１本の第１パーツに対し、複数の通常第２パーツを並べて取り付けることもできる。このため、防煙垂れ壁を設置する建物の構造に応じてサイズを柔軟に調整できる。
【００１０】
したがって、免震性の高い防煙垂れ壁の設置が容易になる。
また、請求項２に記載されているように、防煙垂れ壁は、対面する少なくとも一対の第２搖動壁部が形成されており、通常第２パーツに隣接し、且つ、第２搖動壁部が下方に突出した状態で第１パーツに係合することで第１パーツに取り付けられる中間第２パーツと、中間第２パーツに取り付けられる中間第３パーツと、上端が中間第３パーツに取り付けられる細長い部材であって、側方の縁部には、中間第２パーツに隣接する通常第２パーツに支持されている通常第３パーツに取り付けられた板状部材の側方の縁部を収容する溝状の部位が形成されている収容部材と、をさらに備え、一対の第２搖動壁部に挟まれた空間を、第２搖動空間とし、中間第３パーツは、第２搖動壁部の側方の端部側から第２搖動空間に挿通させることで、一対の第２搖動壁部に挟まれた状態で中間第２パーツに取り付けられ、第２搖動壁部は、第２搖動空間に配された中間第３パーツを、第２搖動壁部の対面方向に搖動可能な状態で下方から支持するよう構成されていても良い。
【００１１】
このような構成によれば、板状部材の側方の縁部は、収容部材により覆われた状態となるため、隣接する板状部材同士が衝突したり、板状部材が壁面に衝突し、板状部材が破損するのを抑止できる。特に、板状部材が薄い場合には、板状部材の左右の側面にシリコン等の緩衝剤を配置するのが困難となるため、収容部材を設けることで、板状部材の破損を効果的に抑止できる。
【００１２】
また、請求項３に記載されているように、通常第３パーツに形成された取付部の底部には、２枚分の板状部材の厚さの幅を有する第１溝部が形成されていると共に、第１溝部の底部には、１枚分の板状部材の厚さの幅を有する第２溝部が形成されていても良い。
【００１３】
このような構成によれば、１枚の板状部材の上側の縁部が第２溝部に収容された状態にして、該板状部材を通常第３パーツの取付部に取り付けることができると共に、一部が重なった状態で配された２枚の板状部材の上側の縁部が第１溝部に収容された状態にして、これらの板状部材を通常第３パーツの取付部に取り付けることができる。このため、通常第３パーツの長さと、板状部材の幅が一致しない場合には、該通常第３パーツの長さよりも幅が狭い複数の板状部材を用意し、これらのうちの２枚を一部が重なった状態で並べることで、隙間無く板状部材を並べることができる。
【００１４】
したがって、防煙垂れ壁が設置される建物の構造に合わせて板状部材の幅を調整しなくても、端部に配される通常第２パーツに取り付けられる通常第３パーツに対し、重なった状態で２枚の板状部材を取り付けることで、防煙垂れ壁のサイズを調整できる。このため、防煙垂れ壁を設置する建物の構造に応じてサイズを柔軟に調整できる。
【図面の簡単な説明】
【００１５】
【図１】防煙垂れ壁の正面図である。
【図２】防煙垂れ壁のＡ−Ａ断面図、及び、Ｂ−Ｂ断面図である。
【図３】防煙垂れ壁のＣ−Ｃ断面図である。
【図４】防煙垂れ壁のＤ−Ｄ断面図、及び、Ｅ−Ｅ断面図である。
【発明を実施するための形態】
【００１６】
以下、本発明の実施形態について図面を用いて説明する。なお、本発明の実施の形態は、下記の実施形態に何ら限定されることはなく、本発明の技術的範囲に属する限り種々の形態を採りうる。
【００１７】
［構成の説明］
本実施形態の防煙垂れ壁１は、第１パーツ１０と、通常第２パーツ２０と、中間第２パーツ３０と、通常第３パーツ４０と、中間第３パーツ５０と、ガラス部材６０と、Ｈジョイナー７０と、ボトムジョイナー８０と、ボトムジョイナーカバー９０と、パッキン１００と、端部部材１１０等から構成されている（図１〜３参照）。
【００１８】
なお、第１パーツ１０と、通常第２パーツ２０と、中間第２パーツ３０と、通常第３パーツ４０と、中間第３パーツ５０と、ボトムジョイナー８０と、ボトムジョイナーカバー９０と、端部部材１１０は、金属（例えば、アルミ等）により構成されていても良い。
【００１９】
また、Ｈジョイナー７０とパッキン１００は、樹脂（例えば、ＰＶＣ等）により構成されていても良い。
また、ガラス部材６０は、厚さが１〜３ｍｍ程度の矩形の薄板ガラスとして構成されていても良い。また、ガラス部材６０には、飛散防止のためのフィルムが貼付されていても良い。
【００２０】
第１パーツ１０は、ネジ１１により天井２及びＭバー３（天井２を上方から吊り下げるために天井の上面に設けられた棒状部材）に取り付けられる細長い部材である（図２，３参照）。無論、これに限らず、第１パーツ１０は、天井２のみにネジ止めされても良いし、ネジ１１以外のもの（例えば、釘や接着剤等）により天井２に取り付けられても良い。
【００２１】
第１パーツ１０は、天井２に接した状態で配される細長い板状の帯状部１２と、帯状部１２の長手側の各々の縁部から下方に突出する一対の第１係合壁部１３，１４とを備える。第１係合壁部１３，１４は、対面した状態で配されており、その根元部分には、それぞれ、長手方向に延びるリブ状の突起である第１係合部１３ａ，１４ａが形成されている。
【００２２】
また、通常第２パーツ２０は、天井２に取り付けられた第１パーツ１０に下方から取り付け可能な細長い部材である（図２（ａ），３参照）。なお、１本の第１パーツ１０には、１又は複数の通常第２パーツ２０が取り付けられる。
【００２３】
通常第２パーツ２０は、短手方向の断面が半円状である細長い搖動溝部２１と、搖動溝部２１の長手側の縁部の各々から下方に突出し、長手方向に延びる一対の搖動壁部２２，２３と、搖動溝部２１の長手側の縁部の各々から上方に突出し、長手方向に延びる一対の第２係合壁部２４，２５とを備える。なお、搖動壁部２２，２３や第２係合壁部２４，２５を複数形成し、長手方向に沿って並べて配置する構成としても良い。
【００２４】
搖動壁部２２，２３は、外側に突出する根元部２２ａ，２３ａと、内側に傾いた状態で根元部２２ａ，２３ａから下方に突出する本体部２２ｂ，２３ｂと、本体部２２ｂ，２３ｂの先端から内側に向かって突出する先端部２２ｃ，２３ｃとを備える。そして、根元部２２ａ，２３ａと、本体部２２ｂ，２３ｂと、先端部２２ｃ，２３ｃとにより、溝部２２ｄ，２３ｄが形成されている。
【００２５】
なお、搖動溝部２１と搖動壁部２２，２３とにより囲まれる空間を、搖動空間２６と記載する。
また、換言すれば、通常第２パーツ２０には、搖動溝部２１及び搖動壁部２２，２３により下方に向かって開口する細長い溝部が形成されている。そして、該溝部の開口の長手側の各々の縁部（短手方向に対面する縁部）は、内側に向かって突出しており、溝部の幅は、開口に近づくにつれ狭まっている。
【００２６】
一方、第２係合壁部２４，２５は、搖動壁部２２，２３の根元部２２ａ，２３ａの先端から上方に突出しており、通常第２パーツ２０の短手方向に対面していると共に、その先端の内側には、それぞれ、リブ状の突起である第２係合部２４ａ，２５ａが形成されている。第２係合部２４ａ，２５ａと、第１パーツ１０に形成された第１係合部１３ａ，１４ａとは、係合可能に構成されている。
【００２７】
ここで、第２係合壁部２４，２５により挟まれた空間を、嵌合空間２７と記載する。通常第２パーツ２０の嵌合空間２７に第１パーツ１０を嵌合し（嵌合空間２７に第１係合壁部１３，１４が配されるようにし）、第１パーツ１０の第１係合壁部１３，１４の各々が第２係合壁部２４，２５に対面するようにすると、第１パーツ１０の第１係合部１３ａ，１４ａと通常第２パーツ２０の第２係合部２４ａ，２５ａが係合し、通常第２パーツ２０は第１パーツ１０に取り付けられる。
【００２８】
また、通常第３パーツ４０は、通常第２パーツ２０の一端から搖動空間２６に挿通させることで、搖動壁部２２，２３に挟まれた状態で通常第２パーツ２０に取り付けられる細長い部材である（図２（ａ），３参照）。この時、通常第３パーツ４０は、搖動壁部２２，２３の先端部２２ｃ，２３ｃにより、短手方向（搖動壁部２２，２３の対面方向）に搖動可能な状態で下方から支持される。
【００２９】
通常第３パーツ４０は、細長い帯状の部位である基部４１と、基部４１における長手側の縁部の各々から下方に突出する一対の取付壁部４２，４３とを備える。
基部４１の下面における短手方向の中央には、長手方向に延びる第１溝部４１ａが形成されている。また、第１溝部４１ａの底部における短手方向の中央には、長手方向に延びる第２溝部４１ｂが形成されている。第２溝部４１ｂは、１枚分のガラス部材６０の厚さと同程度の幅を有しており、第１溝部４１ａは、２枚分のガラス部材６０の厚さと同程度の幅を有している。
【００３０】
取付壁部４２，４３は、内側に湾曲しており、外側には、長手方向に延びるリブ状の突起部４２ａ，４３ａが形成されている。そして、通常第３パーツ４０が通常第２パーツ２０に取り付けられた時には、突起部４２ａ，４３ａは、それぞれ、搖動壁部２２，２３の内側に形成された溝部２２ｄ，２３ｄに配された状態になる。これにより、通常第３パーツ４０が搖動する範囲が制限される。
【００３１】
ここで、取付壁部４２，４３により挟まれる空間を、取付空間と記載する。取付空間は、長手方向に延びる溝状の空間となっている。そして、取付空間には、矩形に形成されたガラス部材６０が配される（換言すれば、ガラス部材６０は、上縁に沿った部分が取付壁部４２，４３に覆われた状態で、通常第３パーツ４０に取り付けられる）。ガラス部材６０は、接着剤により通常第３パーツ４０に取り付けられ、この時、取付空間は接着剤４４で充填された状態になる。
【００３２】
通常、取付空間には、１枚のガラス部材６０（又は、重なっていない状態で隙間なく並べられた複数のガラス部材６０）が配される。この時、ガラス部材６０は、上縁部分が第２溝部４１ｂに配された状態になる。
【００３３】
一方、壁部に近い通常第３パーツ４０では、取付空間には２枚以上のガラス部材６０が配される。これらのうちの少なくとも２枚は一部が重なった状態で配され、重なった状態で配される２枚のガラス部材６０は、上縁部分が第１溝部４１ａに配される（図３参照）。この時、２枚のガラス部材６０のうちの一方は、上縁部分が第１溝部４１ａの一方の長手側の縁に接した状態で配され、他方は、上縁部分が第１溝部４１ａの他方の長手側の縁に接した状態で配される。
【００３４】
これにより、通常第３パーツ４０と長さの一致するガラス部材６０が存在しなくても、隙間の無い状態で、通常第３パーツ４０に対し、該通常第３パーツ４０よりも短い複数のガラス部材６０を取り付けることができる。なお、この時、一部が重なった状態で配されないガラス部材６０の上縁部分は、第１，第２溝部４１ａ，４１ｂのいずれに配されても良い。
【００３５】
また、中間第２パーツ３０は、天井２に取り付けられた第１パーツ１０に下方から取り付け可能な部材である（図２（ｂ）参照）。中間第２パーツ３０は、２つの第１パーツ１０の間や、第１パーツ１０と壁面４の間に配される。
【００３６】
中間第２パーツ３０は、通常第２パーツ２０の長手方向の長さを短くした構成となっており、断面が半円状である搖動溝部３１と、搖動溝部３１の側方の縁部の各々から下方に突出する一対の搖動壁部３２，３３と、搖動溝部３１の側方の縁部の各々から上方に突出する一対の第２係合壁部３４，３５とを備える。なお、搖動壁部３２，３３や第２係合壁部３４，３５を複数形成し、長手方向に沿って並べて配置する構成としても良い。
【００３７】
搖動壁部３２，３３は、通常第２パーツ２０と同様の根元部３２ａ，３３ａ，本体部３２ｂ，３３ｂ，先端部３２ｃ，３３ｃ，溝部３２ｄ，３３ｄを備える。そして、通常第２パーツ２０と同様、搖動壁部３２，３３に挟まれた搖動空間３６が形成されている。一方、第２係合壁部３４，３５は、通常第２パーツ２０と同様にして上方に突出しており、その先端の内側には、それぞれ、リブ状の突起である第２係合部３４ａ，３５ａが形成されている。
【００３８】
第２係合部３４ａ，３５ａと、第１パーツ１０に形成された第１係合部１３ａ，１４ａとは、係合可能に構成されている。また、第２係合壁部３４，３５により挟まれた空間を、嵌合空間３７と記載する。
【００３９】
通常第２パーツ２０と同様、嵌合空間３７に第１パーツ１０を嵌合し、第１パーツ１０の第１係合壁部１３，１４の各々が第２係合壁部３４，３５の一方に対面するようにすると、第１パーツ１０の第１係合部１３ａ，１４ａと中間第２パーツ３０の第２係合部３４ａ，３５ａが係合し、中間第２パーツ３０は第１パーツ１０に取り付けられる。
【００４０】
そして、中間第２パーツ３０は、第１パーツ１０に取り付けられた後、ネジ３８により第１パーツ１０にネジ止めされる。
また、中間第３パーツ５０は、中間第２パーツ３０の搖動壁部３２，３３の側方の端部側から搖動空間３６に挿通させることで、搖動壁部３２，３３に挟まれた状態で中間第２パーツ３０に取り付けられる部材である（図２（ｂ）参照）。この時、中間第３パーツ５０は、搖動壁部３２，３３の先端部３２ｃ，３３ｃにより、搖動壁部３２，３３の対面方向に搖動可能な状態で下方から支持される。
【００４１】
中間第３パーツ５０は、通常第３パーツ４０の長手方向の長さを短くした構成となっており、矩形の板状の部位である基部５１と、基部５１における対面する縁部の各々から下方に突出する一対の取付壁部５２，５３とを備える。
【００４２】
取付壁部５２，５３は、内側に湾曲しており、外側には、取付壁部５２，５３の対面方向に直交する方向に延びるリブ状の突起部５２ａ，５３ａが形成されている。そして、中間第３パーツ５０が中間第２パーツ３０に取り付けられた時には、突起部５２ａ，５３ａは、それぞれ、搖動壁部３２，３３の内側に形成された溝部３２ｄ，３３ｄに配された状態になる。
【００４３】
また、Ｈジョイナー７０は、中間第３パーツ５０に取り付けられる細長い部材である（図２（ａ），４参照）。なお、Ｈジョイナー７０が取り付けられる中間第３パーツ５０、及び、該中間第３パーツ５０が取り付けられる中間第２パーツ３０が、通常第２パーツ２０及び通常第３パーツ４０の間に配される場合、該Ｈジョイナー７０は、２枚のガラス部材６０の間に配される。一方、該中間第２パーツ３０及び中間第３パーツ５０が、通常第２パーツ２０及び通常第３パーツ４０と壁面４の間に配される場合、該Ｈジョイナー７０は、ガラス部材６０と壁面４の間に配される。
【００４４】
Ｈジョイナー７０は、ＰＶＣ等の樹脂により構成されており、長手側の各々の縁部に沿って細長い溝状の第１，第２収容部７１，７２が形成されていると共に、その中央には、長手方向に延びる円柱状の空洞部７３が形成されており、第１収容部７１と空洞部７３は連通している。
【００４５】
Ｈジョイナー７０は、ネジ７４により、上端が中間第３パーツ５０に取り付けられる。この時、ネジ７４は、上端側から空洞部７３に挿通した状態になる。そして、Ｈジョイナー７０がガラス部材６０の間に配される場合には、第１，第２収容部７１，７２には、隣接する各ガラス部材６０の縁部が配された状態となる（図４（ａ）参照）。一方、Ｈジョイナー７０がガラス部材６０と壁面４の間に配される場合には、第２収容部７２には隣接するガラス部材６０の縁部が配されると共に、第１収容部７１及び空洞部７３には、パッキン１００が取り付けられた状態になる（図４（ｂ）参照）。
【００４６】
また、パッキン１００は、ＰＶＣ等の樹脂により構成されており、Ｈジョイナー７０の第１収容部７１及び空洞部７３に取り付け可能な細長い部材であり、壁面４とガラス板６０の間に配されるＨジョイナー７０に取り付けられる（図４（ｂ））。パッキン１００は、本体部１０１と、嵌合部１０２と、衝撃吸収部１０３等から構成されている。
【００４７】
本体部１０１は、短手方向の断面が矩形である細長い部位である。
嵌合部１０２は、パッキン１００の長手方向に伸びる円柱状の部位であり、空洞部７３に嵌合可能に構成されており、本体部１０１の一方の長手側の縁部に沿って設けられている。
【００４８】
衝撃吸収部１０３は、管状に形成された細長い部位であり、本体部１０１の他方の長手側の縁部に沿って設けられている。衝撃吸収部１０３は、短手方向の断面が略三角形状になっている。
【００４９】
そして、パッキン１００の嵌合部１０２を、第１収容部７１を介して空洞部７３に押し込むと、嵌合部１０２が空洞部７３に嵌合した状態になると共に、本体部１０１が第１収容部７１に配された状態になり、パッキン１００がＨジョイナー７０に取り付けられる。この時、衝撃吸収部１０３は、壁面４に取り付けられた端部部材１１０（詳細は後述する）に収容された状態になる。
【００５０】
また、ボトムジョイナー８０は、Ｈジョイナー７０の下端に取り付けられる部材である（図２（ｂ）参照）。ボトムジョイナー８０は、矩形の板状の底部８１と、底部８１における対面する縁部の各々から同一方向に突出する矩形の壁部８２，８３とを有しており、底部８１が下側に位置し、且つ、壁部８２，８３が上方に突出する状態で、ネジ８４によりＨジョイナー７０に取り付けられる。この時、ネジ８４は、Ｈジョイナー７０の下端側から空洞部７３に挿通した状態になる。
【００５１】
また、ボトムジョイナーカバー９０は、複数のＨジョイナー７０に取り付けられたボトムジョイナー８０に取り付けられる細長い部材である。ボトムジョイナーカバー９０は、帯状の細長い底部９１と、底部９１における長手側の縁部の各々から同一方向に突出する壁部９２，９３とを有しており、底部９１が下側に位置し、且つ、壁部９２，９３が上方に突出する状態で配される。この時、底部９１及び壁部９２，９３に囲まれた空間には、ボトムジョイナー８０やガラス板６０の下側の縁部が収容された状態になる。
【００５２】
壁部９２，９３の先端には、長手方向に延びるリブ状の突起である係合部９２ａ，９３ａが形成されており、ボトムジョイナーカバー９０は、係合部９２ａ，９３ａがボトムジョイナー８０の壁部８２，８３の上側の端部に係合することで、各ボトムジョイナー８０に取り付けられる。
【００５３】
また、端部部材１１０は、短手方向の断面がコの字型に形成された細長い部材であり、ネジ等により壁面４に取り付けられる。そして、上述したように、端部部材１１０の内側には、該壁面４に隣接するＨジョイナー７０に取り付けられたパッキン１００の衝撃吸収部１０３が収容される。
【００５４】
［効果］
本実施形態の防煙垂れ壁１によれば、通常第３パーツ４０を搖動空間２６に挿通させることで、搖動可能な状態で通常第３パーツ４０が通常第２パーツ２０に取り付けられるため、これらを容易に組み立てることができる。また、天井２に取り付けられた第１パーツ１０に対し、通常第２パーツ２０を下方から容易に取り付けることができる。
【００５５】
これにより、第１パーツ１０と、通常第２パーツ２０と、工場等でガラス部材６０が取り付けられた通常第３パーツ４０を、組み立て前の状態で運搬し、作業現場でこれらを組み立てながら防煙垂れ壁１を設置することができる。このため、運搬が容易になり、運搬作業の負荷を抑えることができる。
【００５６】
また、第１パーツ１０を単独で天井に取り付けることができ、防煙垂れ壁１全体を天井２に取り付ける場合に比べ、取り付け作業が容易になる。
さらに、１本の第１パーツ１０に対し、複数の通常第２パーツ２０を並べて取り付けることもできる。このため、防煙垂れ壁１を設置する建物の構造に応じてサイズを柔軟に調整できる。
【００５７】
したがって、免震性の高い防煙垂れ壁１の設置が容易になる。
［他の実施形態］
（１）本実施形態のガラス部材６０は、薄板ガラスとして構成されているが、通常の板状のガラスとして構成されていても良いし、樹脂等により構成された透明な板状部材として構成されていても良い。また、ガラス部材６０に替えて、透明でない板状の部材を用いても良い。このような場合であっても、同様の効果を得ることができる。
【００５８】
（２）また、本実施形態の通常第３パーツ４０の基部４１には、第１溝部４１ａが形成されていると共に、第１溝部４１ａの底部には第２溝部４１ｂが形成されている。しかしながら、これに限らず、基部４１に第２溝部４１ｂのみを形成する構成としても良い。
【００５９】
このような構成を有する場合であっても、通常第３パーツ４０には重ならない状態で１又は複数のガラス部材６０を取り付けることができるため、免震性の高い防煙垂れ壁の設置を容易にすることができる。
【００６０】
［特許請求の範囲との対応］
上記実施形態の説明で用いた用語と、特許請求の範囲の記載に用いた用語との対応を示す。
【００６１】
通常第３パーツ４０の基部４１及び取付壁部４２，４３が取付部の一例に、ガラス部材６０が板状部材の一例に、Ｈジョイナー７０が収容部材の一例に相当する。
【符号の説明】
【００６２】
１…防煙垂れ壁、１０…第１パーツ、１３…第１係合壁部、１４…第１係合壁部、２０…通常第２パーツ、２１…搖動溝部、２２…搖動壁部、２３…搖動壁部、２４…第２係合壁部、２５…第２係合壁部、３０…中間第２パーツ、３１…搖動溝部、３２…搖動壁部、３３…搖動壁部、３４…第２係合壁部、３５…第２係合壁部、４０…通常第３パーツ、４２…取付壁部、４３…取付壁部、５０…中間第３パーツ、５２…取付壁部、５３…取付壁部、６０…ガラス部材、７０…Ｈジョイナー、８０…ボトムジョイナー、９０…ボトムジョイナーカバー、１００…パッキン、１１０…端部部材。
【図１】
2016221088.tif 000003
【図２】
2016221088.tif 000004
【図３】
2016221088.tif 000005
【図４】
2016221088.tif 000006